(57)【特許請求の範囲】
【請求項１】
ハウジングと、同軸状に回転可能に設けられた第１操作体及び第２操作体と、交互に形成された山部と谷部とからなる複数の凹凸部で構成された環状の第１係合部と、交互に形成された山部と谷部とからなる複数の凹凸部で構成され、前記第１係合部とは径寸法の異なる環状の第２係合部と、前記第１係合部に対応して設けられた第１被係合突部と、前記第２係合部に対応して設けられた第２被係合突部と、前記第１係合部と第１被係合突部のいずれか一方と、前記第２係合部と第２被係合突部のいずれか一方とが設けられ、前記第１操作体と共に回転する回転部材と、前記第１操作体の回転を検出する第１回転検出手段と、前記第２操作体の回転を検出する第２回転検出手段とを備え、
前記第２操作体の回転位置に応じて、前記第１係合部と前記第１被係合突部とを第１の荷重で係脱可能に弾接させる第１の状態と、前記第２係合部と前記第２被係合突部とを前記第１の荷重と異なる第２の荷重で係脱可能に弾接させる第２の状態とを選択的に切り替える一方、前記第１操作体の回転操作に伴って前記第１又は第２の状態で選択された被係合突部を対応する係合部と係脱可能に構成した回転型電気部品であって、
前記第１係合部と前記第１被係合突部のいずれか一方と、前記第２係合部と前記第２被係合突部のいずれか一方とを前記回転部材の一面側に設ける一方、前記回転部材の他面側に弾性変形可能な弾性部材を配設し、前記第２操作体の回転操作に伴って前記回転部材を回転軸線方向へ移動させることにより、前記第１の状態と前記第２の状態とで前記弾性部材の弾性変形量を異ならせたことを特徴とする回転型電気部品。
【請求項２】
前記第１係合部と前記第１被係合突部のいずれか他方を、前記ハウジングと一体的に構成される固定部材に設けたことを特徴とする請求項１記載の回転型電気部品。
【請求項３】
前記回転部材と前記第２操作体との間に配置されると共に前記第２操作体側に付勢され、当該第２操作体側の一部にカム部が設けられた係合部材を更に備え、前記係合部材における前記回転部材側の一部に前記第２係合部と第２被係合突部のいずれか他方を設ける一方、前記第２操作体に前記カム部と摺動する摺動部を設け、前記第２操作体の回転操作に伴って前記摺動部が前記カム部上を摺動することにより前記係合部材を回転軸線方向へ移動させたことを特徴とする請求項２記載の回転型電気部品。
【請求項４】
前記第１操作体は、筒状部とその外周に鍔状部を有する筒状に形成されて前記ハウジングの軸受け部に回転可能に保持され、前記回転部材は、中央部に貫通孔が形成された環形状を有し当該貫通孔が前記第１操作体の前記筒状部に挿通され、当該筒状部に対して軸線方向へは移動可能で周方向には回転が規制された状態で保持され、前記鍔状部と前記回転部材との間に、前記回転部材を軸線方向へ付勢する前記弾性部材が配設され、前記第２操作体及び係合部材は、貫通孔を有する環状に形成されて当該貫通孔に前記第１操作体の筒状部が挿通されることを特徴とする請求項３記載の回転型電気部品。
【請求項５】
前記ハウジングは、前記軸受け部を有する下ケースとこの下ケースの上方に配設される上ケースとを備え、前記上ケースの底壁により前記固定部材が構成されて当該底壁の下面側に前記第１係合部と前記第１被係合突部のいずれか他方が形成されており、前記底壁の上方側に前記第２操作体を配設すると共に、前記底壁の下方側に前記回転部材を配設し、前記底壁に、前記係合部材に設けられた前記第２係合部と第２被係合突部のいずれか他方を上下動可能に挿通させる貫通部を形成する一方、前記上ケースの前記底壁上に前記係合部材を上方側へ付勢する付勢部材を設けたことを特徴とする請求項４記載の回転型電気部品。
【請求項６】
前記第２操作体の外周部に複数の当接部を設け、この当接部を前記上ケースの側壁部の内壁面で案内することで前記第２操作体を回転可能に保持する一方、前記上ケース内に、前記第２操作体を安定位置に保持する保持手段を設けたことを特徴とする請求項５記載の回転型電気部品。
【請求項７】
前記第１操作体の鍔状部と前記第２操作体に、それぞれ第１摺動子と第２摺動子を設ける一方、前記下ケースの内底面と前記上ケースの内底面に、前記第１摺動子と第２摺動子がそれぞれ摺接する第１導電パターンと第２導電パターンを設け、前記第１摺動子と前記第１導電パターンにより前記第１回転検出手段を構成し、前記第２摺動子と前記第２導電パターンにより前記第２回転検出手段を構成したことを特徴とする請求項５又は請求項６記載の回転型電気部品。
【請求項８】
前記第１被係合突部及び第２被係合突部は、それぞれ同一部材に周方向に間隔を空けて複数設けられていることを特徴とする請求項４から請求項７のいずれかに記載の回転型電気部品。
【請求項９】
前記第１係合部と前記第２係合部の凹凸部の数を異ならせ、前記第１係合部と前記第２係合部のうち、凹凸部の数の多い側の一方の係合部の前記谷部に対応する前記被係合突部が係合している場合に、凹凸部の数の少ない他方の係合部の前記山部の頂部を対応する前記被係合突部の頂部と対向しない状態で離間させたことを特徴とする請求項１から請求項８のいずれかに記載の回転型電気部品。
【請求項１０】
前記凹凸部の多い一方の係合部の凹凸部の数を、凹凸部の数の少ない他方の係合部の凹凸部の数の奇数倍としたことを特徴とする請求項９記載の回転型電気部品。
【請求項１１】
前記凹凸部の多い一方の係合部の凹凸部の数を、凹凸部の数の少ない他方の係合部の凹凸部の数の３倍又は５倍としたことを特徴とする請求項１０記載の回転型電気部品。
【請求項１２】
前記第１係合部と前記第１被係合突部のいずれか他方を、前記ハウジングと一体的に構成される固定部材に設けると共に、前記第２被係合突部を、前記第２操作体の回転に伴い回転軸線方向に移動させ、当該第２被係合突部が係脱する第２係合部を前記凹凸部の数の少ない他方の係合部としたことを特徴とする請求項９から請求項１１のいずれかに記載の回転型電気部品。
【発明の詳細な説明】
【技術分野】
【０００１】
本発明は、回転型電気部品に関し、特に、回転する際にパルスコードを出力して回転角度や回転方向などを検知する回転型エンコーダなどに好適な回転型電気部品に関する。
【背景技術】
【０００２】
従来、自動車などの車両に搭載された各種装置（カーナビゲーション装置、オーディオ装置やエアコンディショナー（エアコン）等）の操作に用いられる操作装置において、回転操作に応じて異なるクリック感触を生起するため、ピッチの異なる凹凸部を有する２種類の係合部を回転軸の軸線方向に並べて配設するものが提案されている（例えば、特許文献１参照）。この操作装置においては、コイルばねにより付勢される被係合突部を回転軸の回転に応じていずれかの係合部に係脱させることにより、異なるクリック感触を生起させている。
【先行技術文献】
【特許文献】
【０００３】
【特許文献１】特開２００９−１３５０６９号公報、図１１
【発明の概要】
【発明が解決しようとする課題】
【０００４】
しかしながら、上述した従来の操作装置においては、２種類の係合部に係脱させる被係合突部が共通していることから、それぞれの係合部の形状に対応する形状とすることができず、両方の係合部との係脱において良好なクリック感触を得ることが困難であるという問題がある。また、被係合突部が共通していることから、クリック感触のバラエティ対応に制約が大きいという問題がある。
【０００５】
本発明は、かかる実情に鑑みてなされたものであり、良好な複数のクリック感触を得ると共に、多くのクリック感触のバラエティに対応することができる回転型電気部品を提供することを目的とする。
【課題を解決するための手段】
【０００６】
本発明の回転型電気部品は、ハウジングと、同軸状に回転可能に設けられた第１操作体及び第２操作体と、交互に形成された山部と谷部とからなる複数の凹凸部で構成された環状の第１係合部と、交互に形成された山部と谷部とからなる複数の凹凸部で構成され、前記第１係合部とは径寸法の異なる環状の第２係合部と、前記第１係合部に対応して設けられた第１被係合突部と、前記第２係合部に対応して設けられた第２被係合突部と、前記第１係合部と第１被係合突部のいずれか一方と、前記第２係合部と第２被係合突部のいずれか一方とが設けられ、前記第１操作体と共に回転する回転部材と、前記第１操作体の回転を検出する第１回転検出手段と、前記第２操作体の回転を検出する第２回転検出手段とを備え、前記第２操作体の回転位置に応じて、前記第１係合部と前記第１被係合突部とを第１の荷重で係脱可能に弾接させる第１の状態と、前記第２係合部と前記第２被係合突部とを前記第１の荷重と異なる第２の荷重で係脱可能に弾接させる第２の状態とを選択的に切り替える一方、前記第１操作体の回転操作に伴って前記第１又は第２の状態で選択された被係合突部を対応する係合部と係脱可能に構成した回転型電気部品であって、前記第１係合部と前記第１被係合突部のいずれか一方と、前記第２係合部と前記第２被係合突部のいずれか一方とを前記回転部材の一面側に設ける一方、前記回転部材の他面側に弾性変形可能な弾性部材を配設し、前記第２操作体の回転操作に伴って前記回転部材を回転軸線方向へ移動させることにより、前記第１の状態と前記第２の状態とで前記弾性部材の弾性変形量を異ならせたことを特徴とする。
【０００７】
上記回転型電気部品によれば、複数の係合部（第１係合部、第２係合部）に対応して係脱する被係合突部をそれぞれ設け、第２操作体の回転位置に応じて係脱する係合部と被係合突部との組を選択可能としたことから、第１操作体の回転操作時のクリック感触をそれぞれ独立した係合部と被係合突部との組により生起することができるので、良好な複数のクリック感触を得ることが可能となる。また、被係合突部を個別に設けていることから、例えば、それぞれ異なる形状とすることができ、多くのクリック感触のバラエティに容易に対応することが可能となる。さらに、第１の状態と、第２の状態とで被係合突部と対応する係合部との間の荷重を異ならせていることから、さらに多くのクリック感触のバラエティに対応することが可能となる。
【０００８】
また、第２操作体の回転操作に伴う回転部材の位置に応じて共通する弾性部材の弾性変形量を異ならせることができるので、第１、第２の状態における弾接する係合部と被係合突部との間の荷重を異ならせることが可能となる。
【０００９】
上記回転型電気部品においては、前記第１係合部と前記第１被係合突部のいずれか他方を、前記ハウジングと一体的に構成される固定部材に設けることが好ましい。この場合には、固定部材に第１係合部と第１被係合突部のいずれか他方を設けたことから、第１係合部と１被係合突部のいずれか他方を移動させる必要がなくなるので、回転型電気部品における構成を簡素化することが可能となる。
【００１０】
上記回転型電気部品においては、前記回転部材と前記第２操作体との間に配置されると共に前記第２操作体側に付勢され、当該第２操作体側の一部にカム部が設けられた係合部材を更に備え、前記係合部材における前記回転部材側の一部に前記第２係合部と第２被係合突部のいずれか他方を設ける一方、前記第２操作体に前記カム部と摺動する摺動部を設け、前記第２操作体の回転操作に伴って前記摺動部が前記カム部上を摺動することにより前記係合部材を回転軸線方向へ移動させることが好ましい。この場合には、第２操作体の回転操作に伴って、第２係合部と第２被係合突部のいずれか他方を設けた係合部材を回転軸線方向に移動させて第２の状態とすることができるので、簡単な構成で円滑に第１の状態と第２の状態とを切り替えること、すなわち、クリック感触を切り替えることが可能となる。
【００１１】
上記回転型電気部品において、前記第１操作体は、筒状部とその外周に鍔状部を有する筒状に形成されて前記ハウジングの軸受け部に回転可能に保持され、前記回転部材は、中央部に貫通孔が形成された環形状を有し当該貫通孔が前記第１操作体の前記筒状部に挿通され、当該筒状部に対して軸線方向へは移動可能で周方向には回転が規制された状態で保持され、前記鍔状部と前記回転部材との間に、前記回転部材を軸線方向へ付勢する前記弾性部材が配設され、前記第２操作体及び係合部材は、貫通孔を有する環状に形成されて当該貫通孔に前記第１操作体の筒状部が挿通されることが好ましい。この場合には、回転部材、第２操作体及び係合部材を、ハウジングの軸受け部に保持された第１操作体の筒状部で挿通可能に構成したことから、本回転型電気部品を中空状に構成できるので、内部に光源や他のスイッチ等の部品を配置することが可能となる。また、係合部と被係合突部との係脱を行うための弾性部材を一体的に回転する第１操作体と回転部材との間に配設していることから、弾性部材にねじるような力が作用するのを防止できるので、回転部材の回転軸線方向への付勢を良好に行うことが可能となる。
【００１２】
上記回転型電気部品において、前記ハウジングは、前記軸受け部を有する下ケースとこの下ケースの上方に配設される上ケースとを備え、前記上ケースの底壁により前記固定部材が構成されて当該底壁の下面側に前記第１係合部と前記第１被係合突部のいずれか他方が形成されており、前記底壁の上方側に前記第２操作体を配設すると共に、前記底壁の下方側に前記回転部材を配設し、前記底壁に、前記係合部材に設けられた前記第２係合部と第２被係合突部のいずれか他方を上下動可能に挿通させる貫通部を形成する一方、前記上ケースの前記底壁上に前記係合部材を上方側へ付勢する付勢部材を設けることが好ましい。この場合には、上ケースの底壁を挟んで第２操作体と回転部材とを配設していることから、本回転型電気部品を組み立てる際の作業効率を改善することが可能となる。さらに、上ケースの底壁に設けた付勢部材により係合部材を上方側へ付勢する一方、底壁に第２係合部と第２被係合突部のいずれか他方を上下動可能に挿通させる貫通部を設けたことから、第２係合部と第２被係合突部のいずれか他方を円滑に上下動させることができるので、第１の状態と第２の状態とを確実に切り替えることが可能となる。
【００１３】
上記回転型電気部品においては、前記第２操作体の外周部に複数の当接部を設け、この当接部を前記上ケースの側壁部の内壁面で案内することで前記第２操作体を回転可能に保持する一方、前記上ケース内に、前記第２操作体を安定位置に保持する保持手段を設けることが好ましい。この場合には、第１操作体をハウジングの軸受けで回転可能に保持する一方、第２操作体を、ハウジングを構成する上ケースの内壁面で回転可能に保持していることから、第１、第２操作体の回転を異なる位置でガイドすることができるので、一方の回転操作が他方の回転操作に影響を与えるのを防止することが可能となる。これにより、例えば、第２操作体の回転操作に伴って選択される係合部と被係合突部との組が切り替えられる際に、被係合突部が係合部に係合することにより第１操作体が回転する場合でも、その回転移動に第２操作体の回転操作が影響を受けるのを防止することが可能となる。
【００１４】
上記回転型電気部品においては、前記第１操作体の鍔状部と前記第２操作体に、それぞれ第１摺動子と第２摺動子を設ける一方、前記下ケースの内底面と前記上ケースの内底面に、前記第１摺動子と第２摺動子がそれぞれ摺接する第１導電パターンと第２導電パターンを設け、前記第１摺動子と前記第１導電パターンにより前記第１回転検出手段を構成し、前記第２摺動子と前記第２導電パターンにより前記第２回転検出手段を構成することが好ましい。この場合には、第１導電パターンと第２導電パターンとを別部材に設けていることから、平面視して双方の導電パターンをオーバーラップさせることができるので、本回転型電気部品の平面形状を小型化することが可能となる。
【００１５】
上記回転型電気部品においては、前記第１被係合突部及び第２被係合突部を、それぞれ同一部材に周方向に間隔を空けて複数設けることが好ましい。この場合には、第１被係合突部及び第２被係合突部を周方向に間隔を空けて複数設けたことから、対応する係合部が設けられた部材（例えば、回転部材）に対して傾き難くできるので、安定したクリック感触を生起することが可能となる。また、複数の被係合突部を同一部材に設けていることから、被係合突部間の位置精度を高めることが可能となる。
【００１６】
上記回転型電気部品においては、前記第１係合部と前記第２係合部の凹凸部の数を異ならせ、前記第１係合部と前記第２係合部のうち、凹凸部の数の多い側の一方の係合部の前記谷部に対応する前記被係合突部が係合している場合に、凹凸部の数の少ない他方の係合部の前記山部の頂部を対応する前記被係合突部の頂部と対向しない状態で離間させることが好ましい。この場合には、凹凸部の数の多い側の一方の係合部（例えば、第１係合部）の谷部に対応する被係合突部（例えば、第１被係合突部）が係合している場合に、凹凸部の数の少ない他方の係合部（例えば、第２係合部）の山部の頂部を対応する被係合突部（例えば、第２被係合突部）の頂部と対向しない状態で離間させていることから、第２操作体が回転操作され、弾接する係合部と被係合突部の組が変更されても、離間状態にある係合部と被係合突部の頂部同士は対向していないので、頂部同士が当接した状態（山止まり状態）で止まってしまうことを回避することができ、確実にクリック感触を切り替えることが可能となる。
【００１７】
上記回転型電気部品においては、前記凹凸部の多い一方の係合部の凹凸部の数を、凹凸部の数の少ない他方の係合部の凹凸部の数の奇数倍とすることが好ましい。この場合には、凹凸部の多い一方の係合部の凹凸部の数を、凹凸部の数の少ない他方の係合部の凹凸部の数の奇数倍としたことから、全周にわたってピッチの大きな係合部と被係合突部の頂部同士を対向しないようにすることができるので、いずれの回転位置においても頂部同士が当接する山止まり状態になる事態を回避することが可能となる。
【００１８】
特に、上記回転型電気部品においては、前記凹凸部の多い一方の係合部の凹凸部の数を、凹凸部の数の少ない他方の係合部の凹凸部の数の３倍又は５倍とすることが好ましい。このように、凹凸部の多い一方の係合部の凹凸部の数を、凹凸部の数の少ない他方の係合部の凹凸部の数の３倍又は５倍とすることにより、より確実に頂部同士が当接する山止まり状態になる事態を回避することが可能となる。
【００１９】
上記回転型電気部品においては、前記第１係合部と前記第１被係合突部のいずれか他方を、前記ハウジングと一体的に構成される固定部材に設ける一方、前記第２被係合突部を、前記第２操作体の回転に伴い回転軸線方向に移動させ、当該第２被係合突部が係脱する第２係合部を前記凹凸部の数の少ない他方の係合部とすることが好ましい。この場合には、第２操作体の回転に伴って移動する第２被係合突部が係脱する第２係合部を凹凸部の数の少ない他方の係合部とする一方、第１係合部と第１被係合突部のいずれか他方を固定部材に設けたことから、固定的に配設スペースを要する第１被係合突部の形状を第２被係合突部よりも小さくすることができるので、第２操作体の回転に伴って第１被係合突部を移動させる場合に比べて、本回転型電気部品の高さ方向の寸法を小型化することが可能となる。
【発明の効果】
【００２０】
本発明によれば、複数の係合部（第１係合部、第２係合部）に対応して係脱する被係合突部をそれぞれ設け、第２操作体の回転位置に応じて係脱する係合部と被係合突部との組を選択可能としたことから、第１操作体の回転操作時のクリック感触をそれぞれ独立した係合部と被係合突部との組により生起することができるので、良好な複数のクリック感触を得ることが可能となる。また、被係合突部を個別に設けると共に、第１の状態と第２の状態とで被係合突部と対応する係合部との間の荷重を異ならせていることから、容易に多くのクリック感触のバラエティに対応することが可能となる。
【図面の簡単な説明】
【００２１】
【図１】本発明の実施の形態１に係る回転型電気部品を前方側から示す分解斜視図である。
【図２】実施の形態１に係る回転型電気部品を後方側から示す分解斜視図である。
【図３】実施の形態１に係る回転型電気部品の外観を示す斜視図である。
【図４】実施の形態１に係る回転型電気部品の第１ケースの平面図である。
【図５】実施の形態１に係る回転型電気部品の第２ケースの上面図（ａ）及び下面図（ｂ）である。
【図６】実施の形態１に係る回転型電気部品が有するクリック部材の斜視図である。
【図７】実施の形態１に係る回転型電気部品が有するカム部材の斜視図である。
【図８】実施の形態１に係る回転型電気部品が有する外軸部材を軸部側及び壁面部側から示す斜視図である。
【図９】実施の形態１に係る回転型電気部品が有する第２ケースと、外軸部材との関係について説明するための上面図である。
【図１０】実施の形態１に係る回転型電気部品の側断面図である。
【図１１】実施の形態１に係る回転型電気部品が第１の状態とされた場合の側面図である。
【図１２】実施の形態１に係る回転型電気部品が第２の状態とされた場合の側面図である。
【図１３】実施の形態１に係る回転型電気部品が第２の状態された場合における第２ケースと、外軸部材との関係について説明するための上面図である。
【図１４】本発明の実施の形態２に係る回転型電気部品が有する第２ケース及びクリック部材の構成を示す斜視図である。
【図１５】実施の形態２に係る回転型電気部品が有する第２ケースの下面図である。
【図１６】実施の形態２に係る回転型電気部品が有するクリック部材の斜視図である。
【図１７】本発明の実施の形態３に係る回転型電気部品を前方側から示す分解斜視図である。
【図１８】実施の形態３に係る回転型電気部品を後方側から示す分解斜視図である
【図１９】実施の形態３に係る回転型電気部品が有するカム部材の斜視図である。
【図２０】実施の形態３に係る回転型電気部品が有するクリック部材の斜視図である。
【図２１】実施の形態３に係る回転型電気部品が第１の状態とされた場合の側面図である。
【図２２】実施の形態３に係る回転型電気部品が第２の状態とされた場合の側面図である。
【発明を実施するための形態】
【００２２】
以下、本発明の実施の形態について添付図面を参照して詳細に説明する。本発明に係る回転型電気部品は、例えば、自動車などの車両に搭載された各種装置（カーナビゲーション装置、オーディオ装置やエアコンディショナー（エアコン）等）の操作に好適に用いられるが、その適用対象についてはこれに限定されるものではなく適宜変更が可能である。複数の操作対象を有し、それぞれに異なるクリック感触の生起が要請される任意の装置の操作に適用することが可能である。
【００２３】
（実施の形態１）
図１は、本発明の実施の形態１に係る回転型電気部品を前方側から示す分解斜視図である。図２は、実施の形態１に係る回転型電気部品を後方側から示す分解斜視図である。図３は、実施の形態１に係る回転型電気部品の外観を示す斜視図である。なお、以下においては、説明の便宜上、図１に示す左下方側を「回転型電気部品の前方側」と呼び、同図に示す右上方側を「回転型電気部品の後方側」と呼ぶものとする。
【００２４】
図１及び図２において、回転型電気部品１００は、ハウジングを構成する第１ケース１０、第２ケース２０及び取付部材３０と、第１ケース１０と第２ケース２０との間の空間に一部又は全部が収納される内軸部材４０及びクリック部材５０と、第２ケース２０と取付部材３０との間の空間に収納されるカム部材６０と、外軸部材７０とを備えて構成されている。
【００２５】
第１ケース１０は、下ケースを構成するものであり、例えば、絶縁性の合成樹脂材料（以下、「絶縁性樹脂」という）で成形される。第１ケース１０の中央には、前後方向に貫通する貫通孔１０１を規定する筒状の軸受け部１０２が設けられている。この軸受け部１０２の後方側の外面側には、有底状で前方側が開口された環状の収納部１０３が設けられている。この収納部１０３の外周は、概して円形状を有する側壁部１０４が設けられている。また、収納部１０３の底面には、例えば、導電性の金属板からなる複数の切換パターン及びコモンパターンがインサート成形等により設けられている。なお、これらの切換パターン及びコモンパターンの構成については後述する。
【００２６】
第２ケース２０は、上ケースを構成するものであり、第１ケース１０と同様に、絶縁性樹脂等で成形される。第２ケース２０は、その中央に形成された円形状の開口部２０１を規定する環状の底面部２０２と、この底面部２０２の外縁部から前方側に延出して設けられた円形状の側壁部２０３とを有し、概して前方側に開口する構成を有している。そして、これらの底面部２０２と側壁部２０３とで囲まれる空間に収納部２０４が設けられている。開口部２０１は、後述する内軸部材４０の筒状部４０１を挿通可能な大きさに形成され、この筒状部４０１を前方側に露出可能に構成されている。底面部２０２の前面の所定位置には、カム部材６０を付勢する付勢部材としての複数のコイルばね８０１を収容する複数（本実施の形態では３つ）の凹部２０５が設けられている。また、底面部２０２の所定位置には、後述するカム部材６０の突出片６０２を貫通可能な貫通部としての複数のスリット２０６が設けられている（図２参照）。底面部２０２の後面におけるスリット２０６の外側部分には、後方側に突出する複数（本実施の形態では３つ）の第１被係合突部としての突出片２０７が設けられている。
【００２７】
収納部２０４の所定位置には、後述する外軸部材７０の凹凸部７０８と係合して外軸部材７０を回転位置に安定的に保持する保持手段９０を収容する収容部２０８が設けられている。保持手段９０は、外軸部材７０の凹凸部７０８（図８参照）に係合する保持レバー９０１と、この保持レバー９０１の先端部を外軸部材７０の凹凸部７０８に付勢するトーションばね９０２とから構成される。また、底面部２０２の前面には、例えば、導電性の金属板からなる複数の切換パターン及びコモンパターンがインサート成形等により設けられている。なお、これらの切換パターン及びコモンパターンの構成については後述する。側壁部２０３は、側壁部１０４と略同一の形状を有し、側壁部１０４と共に回転型電気部品１００の外壁面を構成する。
【００２８】
取付部材３０は、金属板を打ち抜き、折り曲げて形成されており、円環状の上板部３０１と、この上板部３０１の周縁部から後方側に向けて垂直に延出する複数（本実施の形態では４つ）の脚部３０２及び一対の位置決め片３０３とを有している。上板部３０１の中央には、円形状の開口部３０４が形成されている。この開口部３０４は、後述する外軸部材７０の軸部７０２を挿通可能な大きさに形成され、これを前方側に露出可能に構成されている。脚部３０２の先端には、組み立てられた状態の回転型電気部品１００において、第１ケース１０の後面側に折り曲げられて取付部材３０を固定する爪部３０２ａが設けられている。
【００２９】
内軸部材４０は、第１操作体を構成するものであり、例えば、絶縁性樹脂で成形される。内軸部材４０は、前方側に突出して設けられた中空状の筒状部４０１と、この筒状部４０１の後端部に設けられた鍔状部４０２とを有している。内軸部材４０は、筒状部４０１の内部に設けられた貫通孔４０３で第１ケース１０の軸受け部１０２の外周部に回転可能に保持される。筒状部４０１の周面の後端部には、その周面よりも僅かに外側に突出する複数（本実施の形態では３つ）の係合片４０１ａが設けられている。鍔状部４０２は、円環形状を有しており、その前面には、クリック部材５０を前方側に付勢する複数（本実施の形態では３つ）の弾性部材としてのコイルばね８０２の後端部を収容する凹部４０２ａが形成されている。鍔状部４０２の後面の所定位置には、複数（本実施の形態では３つ）の摺動子８０３が固定される。これらの摺動子８０３は、第１ケース１０の収納部１０３に設けられた内軸部材４０の回転検出用の切換パターン及びコモンパターン上を摺動可能に鍔状部４０２に固定されている。なお、ここでは、弾性部材としてコイルばね８０２を備える場合について説明しているが、弾性部材の構成については、これに限定されるものではなく、板ばね等を備えるようにしても良い。
【００３０】
クリック部材５０は、回転部材を構成するものであり、例えば、絶縁性樹脂で成形され、円環形状に設けられた基部５０１と、この基部５０１の中央に形成された挿通孔５０２を規定する壁面部５０３とを有している。挿通孔５０２は、内軸部材４０の筒状部４０１の周面よりも僅かに大径に設けられ、この筒状部４０１が挿通可能に構成されている。基部５０１の前面には、それぞれ交互に形成された山部と谷部とからなる複数の凹凸部で構成される環状のクリックカム５０４が複数（本実施の形態では２つ）設けられている。それぞれのクリックカム５０４においては、凹凸部の数が異なっている。これらのクリックカム５０４は、係合部として機能するものであり、内軸部材４０が回転する際に第２ケース２０の突出片２０７等の係脱に応じてクリック感触を生起させる。壁面部５０３には、複数（本実施の形態では３つ）の切り欠き部５０３ａが設けられている。これらの切り欠き部５０３ａは、内軸部材４０の筒状部４０１に設けられた係合片４０１ａと係合する。これらの切り欠き部５０３ａに係合片４０１ａが係合することで、内軸部材４０とクリック部材５０とが一体的に回転可能に構成されている。
【００３１】
カム部材６０は、係合部材を構成するものであり、例えば、絶縁性樹脂で成形され、中央に挿通孔６０１を有する円環形状に設けられている。カム部材６０の前面の所定位置には、カム部としての複数の凹凸部が設けられている。一方、カム部材６０の後面の所定位置には、後方側に突出する複数（本実施の形態では３つ）の突出片６０２が設けられている。これらの突出片６０２の先端部には、クリック部材５０のクリックカム５０４と係脱する第２被係合突部としての係合突部６０２ａが設けられている。また、カム部材６０の所定位置には、第２ケース２０に保持されたコイルばね８０１の前端部を収容するばね収容部６０３が設けられている。ばね収容部６０３は、カム部材６０の径方向に突出して設けられ、第２ケース２０の凹部２０５に収容可能な位置に配置される。
【００３２】
外軸部材７０は、第２操作体を構成するものであり、例えば、絶縁性樹脂で成形される。外軸部材７０は、円環形状に設けられた基部７０１と、この基部７０１の内縁部から前方側に突出して設けられた軸部７０２と、基部７０１の内縁部から後方側に突出して設けられた壁面部７０３とを有している。基部７０１の外周部における所定位置には、径方向に突出する複数（本実施の形態では３つ）の当接片７０４が設けられている。これらの当接片７０４は、外軸部材７０が第２ケース２０内に組み込まれた状態において、第２ケース２０の側壁部２０３の内壁面に当接し、外軸部材７０の回転を安定させる役割を有する。当接片７０４の近傍には、基部７０１よりも後方側に突出して設けられた補強部７０５が設けられている。１つの補強部７０５の後面には、摺動子８０４が固定される（図２参照）。この摺動子８０４は、第２ケース２０の底面部２０２に設けられた外軸部材７０の回転検出用の切換パターン及びコモンパターン上を摺動可能に補強部７０５に固定されている。また、これらの補強部７０５と壁面部７０３との間には、基部７０１から後方側に突出する複数（本実施の形態では３つ）の凸部７０６が設けられている。これらの凸部７０６は、摺動部を構成するものであり、カム部材６０に設けられた凹凸部上を移動し、これらの凹凸部の形状に応じてカム部材６０を前後方向に移動させる。軸部７０２及び壁面部７０３の内側には、円形状の挿通孔７０７が設けられている。この挿通孔７０７は、内軸部材４０の筒状部４０１の周面よりも僅かに大径に設けられている。
【００３３】
このような構成部品を有する回転型電気部品１００を組み立てると、図３に示すように、クリック部材５０などの構成部材を第１ケース１０に収納した状態で前方側から第２ケース２０が重ねられると共に、外軸部材７０などの構成部材を第２ケース２０に収納した状態で前方側から取付部材３０が取り付けられる。そして、取付部材３０の脚部３０２の爪部３０２ａが第１ケース１０の後面側で折り曲げられることで第１ケース１０及び第２ケース２０が一体化される。この場合において、外軸部材７０の軸部７０２の一部及び内軸部材４０の筒状部４０１の一部が取付部材３０の開口部３０４から前方側に向けて突出した状態となっている。内軸部材４０の筒状部４０１は、外軸部材７０の軸部７０２よりも前方側に突出している。このように組み立てられた状態において、内軸部材４０は、第１ケース１０の軸受け部１０２に回転可能に保持される一方、外軸部材７０は、第２ケース２０の収納部２０４内において、側壁部２０３に回転可能に保持されており、それぞれ操作者の回転操作を受け付け可能に構成されている。
【００３４】
ここで、実施の形態１に係る回転型電気部品１００の第１ケース１０に設けられる切換パターン及びコモンパターンの構成について説明する。図４は、実施の形態１に係る回転型電気部品１００の第１ケース１０の平面図である。なお、図４においては、説明の便宜上、第１ケース１０にインサート成形されている切換パターン及びコモンパターンに斜線を付与している。
【００３５】
図４に示すように、第１ケース１０の収納部１０３の底面部においては、側壁部１０４の内側に内軸部材４０の回転検出用の切換パターン１０５Ａ、１０５Ｂ及びコモンパターン１０６が設けられている。これらの切換パターン１０５Ａ、１０５Ｂ及びコモンパターン１０６の一端部は、側壁部１０４の所定位置（図４に示す下方側の位置）から外部に導出されている。内軸部材４０の回転検出用のコモンパターン１０６は、切換パターン１０５Ａ、１０５Ｂよりも内側の位置で環状に設けられている。一方、切換パターン１０５Ａ、１０５Ｂは、側壁部１０４の近傍の位置であって、コモンパターン１０６の１／３程度の長さに対応する円弧形状に設けられている。切換パターン１０５Ａ、１０５Ｂは、櫛歯形状に設けられ、コモンパターン１０６の外周部分近傍まで延出する領域（パターン形成領域）と、切換パターン１０５Ａ、１０５Ｂが存在しない領域（パターン非形成領域）とが交互に配置されている。これらの切換パターン１０５Ａ、１０５Ｂ及びコモンパターン１０６と、内軸部材４０の鍔状部４０２に固定された複数（３つ）の摺動子８０３とで内軸部材４０の回転を検出する第１回転検出手段が構成されている。すなわち、摺動子８０３が切換パターン１０５Ａと摺接（接触）している場合には、この摺動子８０３を介して切換パターン１０５Ａとコモンパターン１０６とが導通状態となり、摺動子８０３が切換パターン１０５Ａのパターン非形成領域に位置している場合には、両パターンは非導通状態となる。切換パターン１０５Ｂについても同様である。なお、切換パターン１０５Ａとコモンパターン１０６との導通状態が切り換えられるタイミングと、切換パターン１０５Ｂとコモンパターン１０６との導通状態が切り換えられるタイミングは、位相差（ズレ）を有している。
【００３６】
次に、実施の形態１に係る回転型電気部品１００が有する第２ケース２０、クリック部材５０、カム部材６０及び外軸部材７０の構成について説明する。図５（ａ）及び図５（ｂ）は、それぞれ実施の形態１に係る回転型電気部品１００が有する第２ケース２０の上面図及び下面図である。図６は、実施の形態１に係る回転型電気部品１００が有するクリック部材５０の斜視図である。図７は、実施の形態１に係る回転型電気部品１００が有するカム部材６０の斜視図である。図８（ａ）及び図８（ｂ）は、それぞれ実施の形態１に係る回転型電気部品１００が有する外軸部材７０を軸部７０２側及び壁面部７０３側から示す斜視図である。以下においては、説明の便宜上、図１〜図３における回転型電気部品１００の前方側を上方側とし、同図における回転型電気部品１００の後方側を下方側として説明する。
【００３７】
図５（ａ）に示すように、第２ケース２０の底面部２０２の所定位置には、側壁部２０３の内側に外軸部材７０の回転検出用の切換パターン２０９Ａ、２０９Ｂ、２０９Ｃ及びコモンパターン２２０が設けられている。なお、図５（ａ）においては、説明の便宜上、これらの切換パターン２０９Ａ、２０９Ｂ、２０９Ｃ及びコモンパターン２２０に斜線を付与している。外軸部材７０の回転検出用のコモンパターン２２０は、切換パターン２０９Ａ、２０９Ｂ、２０９Ｃよりも内側の位置で環状に設けられている。一方、切換パターン２０９Ａ、２０９Ｂ、２０９Ｃは、側壁部２０３の近傍の位置であって、一定距離だけ離間して設けられている。これらの切換パターン２０９Ａ、２０９Ｂ、２０９Ｃ及びコモンパターン２２０の一端部は、側壁部２０３の所定位置（図５（ａ）に示す上方側の位置）から外部に導出されている。これらの切換パターン２０９Ａ、２０９Ｂ、２０９Ｃ及びコモンパターン２２０と、外軸部材７０の補強部７０５に固定された摺動子８０４とで外軸部材７０の回転を検出する第２回転検出手段が構成されている。すなわち、外軸部材７０の回転位置に応じて、切換パターン２０９Ａ、２０９Ｂ、２０９Ｃのいずれかとコモンパターン２２０とが、摺動子８０４を介して導通状態となっている。
【００３８】
実施の形態１に係る回転型電気部品においては、導電パターンとしての切換パターン１０５Ａ、１０５Ｂ及びコモンパターン１０６を第１ケース１０に設ける一方、これに重ねられる第２ケース２０に導電パターンとしての切換パターン２０９Ａ、２０９Ｂ、２０９Ｃ及びコモンパターン２２０を別部材に設けていることから、平面視して双方の導電パターンをオーバーラップさせることができるので、本回転型電気部品における平面形状を小型化することができるものとなっている。
【００３９】
第２ケース２０の凹部２０５は、底面部２０２に設けられた肉厚部２０２ａに内側に向けて開口した半円形状に設けられている。カム部材６０は、そのばね収容部６０３が凹部２０５により外側から支持され、内軸部材４０（外軸部材７０）の回転軸線方向の移動が許容される一方、回転移動が制限された状態で第２ケース２０に組み込まれる。なお、凹部２０５及びばね部材６０３は、略等角度間隔（本実施の形態では略１２０度間隔）存して複数（本実施の形態では３つ）設けられている。収容部２０８には、底面部２０２から上方側に突出して軸部２０８ａが設けられており、この軸部２０８ａで保持手段９０を構成する保持レバー９０１を揺動可能に保持すると共に、保持レバー９０１の先端部を一定方向（第２ケース２０の内側方向）に付勢可能にトーションばね９０２の巻回部を保持している。
【００４０】
また、第２ケース２０の底面部２０２には、開口部２０１の周囲に一定間隔でスリット２０６が複数（本実施の形態では３つ）設けられている。これらのスリット２０６の周囲であって、底面部２０２の下面には、各スリット２０６の中央よりも僅かに図５（ｂ）に示す反時計回り方向にずれた位置に突出片２０７が設けられている。詳細について後述するように、これらの突出片２０７は、カム部材６０が外軸部材７０により押し下げられていない状態において、後述するクリック部材５０のクリックカム５０４ａと係脱可能に構成されている。なお、第２ケース２０の底面部２０２は、突出片２０７が設けられる固定部材を構成する。
【００４１】
図６に示すように、クリック部材５０の基部５０１には、その外周部近傍に第１係合部としてのクリックカム５０４ａが設けられ、このクリックカム５０４ａの内側に第２係合部としてのクリックカム５０４ｂが設けられている。クリックカム５０４ａの上面の凹凸部は、クリックカム５０４ｂの凹凸部の奇数倍、より具体的には３倍に設けられている。それぞれのクリックカム５０４ｂの山部の頂部から双方の谷部の底部までの領域（クリックカム５０４ｂの隣り合う谷部間の領域）には、３つのクリックカム５０４ａが対応して配置されている（図６に示す点線部参照）。この場合、クリックカム５０４ｂの山部の頂部は、３つのクリックカム５０４ａのうち、中央のクリックカム５０４ａの山部の頂部と対応する位置に設けられている。一方、クリックカム５０４ｂの谷部の底部は、上記３つのクリックカム５０４ａのうち、側方側のクリックカム５０４ａの外側の谷部の底部に対応する位置に設けられている。
【００４２】
カム部材６０は、第２ケース２０のスリット２０６及びクリック部材５０のクリックカム５０４ｂに対応する略同一の径に設けられている。カム部材６０の上端部には、図７に示すように、山部６０４と谷部６０５とが交互に配置される凹凸部が設けられている。カム部材６０においては、３個の山部６０４（又は谷部６０５）が並べられている。また、山部６０４と谷部６０５には、それぞれ略水平な水平部分が設けられている。突出片６０２は、それぞれの谷部６０５における左方側（上面視して時計回り方向側）の山部６０４寄りの位置の下方側に設けられている。これらの突出片６０２は、第２ケース２０のスリット２０６に対応する位置に設けられ、外軸部材７０の回転位置に応じてスリット２０６を通過可能に構成されている。突出片６０２の下端部には、その中央にクリックカム５０４ｂの凹凸部の形状に対応する係合突部６０２ａが設けられている。この係合突部６０２ａがクリックカム５０４ｂの凹凸部を係脱することによりクリック感触が生起されるものとなっている。
【００４３】
外軸部材７０においては、図８（ａ）に示すように、基部７０１を挟んで上方側に軸部７０２が設けられる一方、下方側に壁面部７０３が設けられている。そして、これらの軸部７０２及び壁面部７０３を貫通するように挿通孔７０７が設けられている。基部７０１の下面に設けられる摺動部としての凸部７０６は、カム部材６０の凹凸部上を摺動し、その回転位置に応じてカム部材６０を押し下げるように構成されている。基部７０１の外周面における所定位置には、保持レバー９０１が係合する山部と谷部とから構成される凹凸部７０８が設けられている。軸部７０２の周面には、一定間隔でフック部７０９が設けられている。これらのフック部７０９は、不図示の操作つまみ等の固定に利用される。
【００４４】
図９は、実施の形態１に係る回転型電気部品１００が有する第２ケース２０と、外軸部材７０との関係について説明するための上面図である。図９に示すように、外軸部材７０は、当接片７０４が側壁部２０３の内壁面に摺接した状態で第２ケース２０の収納部２０４に回転可能に保持されている。また、外軸部材７０は、凹凸部７０８で第２ケース２０の収容部２０８に収納された保持レバー９０１の先端部による付勢を受けた状態で第２ケース２０の収納部２０４に組み込まれている。回転操作を受け付けると、外軸部材７０は、当接片７０４を摺接させた状態において第２ケース２０内で回転する。この場合、保持レバー９０１は、凹凸部７０８を構成する谷部と係合することで外軸部材７０を所望の回転位置に停止させると共に、凹凸部７０８との係脱時にクリック感触を生起させるものとなっている。
【００４５】
実施の形態１に係る回転型電気部品１００においては、内軸部材４０を第１ケース１０の軸受け部１０２で回転可能に保持する一方、外軸部材７０を、第２ケース２０の側壁部２０３の内壁面で回転可能に保持していることから、内軸部材４０、外軸部材７０の回転を異なる位置でガイドすることができるので、一方の回転操作が他方の回転操作に影響を与えるのを防止できるものとなっている。これにより、例えば、外軸部材７０の回転操作に伴って係合突部６０２ａとクリックカム５０４ｂとの弾接が解除される際に、突出片２０７がクリックカム５０４ａに接触することにより内軸部材４０が回転する場合でも、その回転移動に外軸部材７０の回転操作が影響を受けるのを防止可能である。
【００４６】
次に、このような構成を有する回転型電気部品１００を組み立てた場合の内部の構成について説明する。図１０は、実施の形態１に係る回転型電気部品１００の側断面図である。図１０においては、内軸部材４０の挿通孔４０３の中心点を通る断面を示している。なお、図１０においては、説明の便宜上、外軸部材７０によりカム部材６０が押し下げられていない状態について示している。
【００４７】
図１０に示すように、回転型電気部品１００を組み立てた場合、その内部においては、第１ケース１０の収納部１０３に内軸部材４０の鍔状部４０２が収納されると共に、軸受け部１０２に筒状部４０１が回転可能に支持されている。この場合において、鍔状部４０２に固定された摺動子８０３は、収納部１０３の底面部に設けられた切換パターン１０５Ａ、１０５Ｂ及びコモンパターン１０６に摺接可能な位置に配置されている。
【００４８】
クリック部材５０は、挿通孔５０２に筒状部４０１が挿通された状態で第１ケース１０の収納部１０３に収納されている。クリック部材５０は、内軸部材４０の鍔状部４０２上に載置されたコイルばね８０２により上方側に付勢された状態で上下方向に移動可能に保持されている。この場合、筒状部４０１に設けられた係合片４０１ａは、壁面部５０３に設けられた切り欠き部５０３ａに係合した状態とされ、内軸部材４０とクリック部材５０とが一体的に回転可能に構成されている。
【００４９】
第２ケース２０は、クリック部材５０等を収納部１０３に収納した第１ケース１０の上方側に重ねられる。この場合、内軸部材４０の筒状部４０１は、第２ケース２０の開口部２０１から上方側に突出した状態となっている。カム部材６０は、挿通孔６０１に内軸部材４０の筒状部４０１等が挿通された状態で第２ケース２０の収納部２０４に収納される。カム部材６０は、第２ケース２０の底面部２０２に支持されたコイルばね８０１により上方側に付勢された状態で上下方向に移動可能に保持されている。この場合、カム部材６０の突出片６０２は、第２ケース２０の底面部２０２に設けられたスリット２０６を貫通可能な位置に配置されている。底面部２０２の下面に設けられた突出片２０７は、クリック部材５０のクリックカム５０４ａに対応する位置に配置されている。
【００５０】
外軸部材７０は、挿通孔７０７に内軸部材４０の筒状部４０１等が挿通された状態で第２ケース２０の収納部２０４に収納されている。この場合、外軸部材７０は、基部７０１の下面をカム部材６０の上方側に対向させた状態で配置されている。取付部材３０は、収納部２０４にカム部材６０及び外軸部材７０を収納した状態の第２ケース２０に上方側から取り付けられる。この場合、内軸部材４０の筒状部４０１及び外軸部材７０の軸部７０２は、取付部材３０の開口部３０４から上方側に突出した状態とされる。そして、取付部材３０の脚部３０２の爪部３０２ａが第１ケース１０の下面において内側に折り曲げられることにより第２ケース２０が第１ケース１０に取り付けられ、回転電気部品１００が完成する。
【００５１】
実施の形態１に係る回転型電気部品１００においては、第１ケース１０の軸受け部１０２に回転可能に保持された内軸部材４０と、第２ケース２０の側壁部２０３に回転可能に保持された外軸部材７０とで操作者の回転操作を受け付け可能に構成されている。この場合において、外軸部材７０に対する回転操作により、第２ケース２０の下面に設けられた突出片２０７とクリック部材５０のクリックカム５０４ａとが弾接する第１の状態と、カム部材６０の突出片６０２に設けられた係合突部６０２ａとクリック部材５０のクリックカム５０４ｂとが弾接する第２の状態とが切り替えられる。そして、いずれかの状態（第１、第２の状態）において、内軸部材４０に対する回転操作に伴ってクリック部材５０が回転することで、突出片２０７又は係合突部６０２ａが係脱し、異なるクリック感触を生起することが可能となっている。
【００５２】
ここで、実施の形態１に係る回転型電気部品１００が第１、第２の状態とされた場合の構成部品の状態について説明する。図１１及び図１２は、それぞれ実施の形態１に係る回転型電気部品１００が第１及び第２の状態とされた場合の側面図である。図１１においては、説明の便宜上、第１ケース１０を省略し、図１２においては、更に第２ケース２０も省略している。図１３は、実施の形態１に係る回転型電気部品１００が第２の状態とされた場合における第２ケース２０と、外軸部材７０との関係について説明するための上面図である。
【００５３】
実施の形態１に係る回転型電気部品１００において、外軸部材７０の凸部７０６がカム部材６０の谷部６０５に対応する位置に配置される場合（すなわち、凸部７０６がカム部材６０の山部６０４と非接触状態にある場合）、カム部材６０がコイルばね８０１の付勢力により上方側に退避された状態となっている。この場合、クリック部材５０は、カム部材６０の突出片６０２と当接することなく、図１１に示すように、コイルばね８０２により上方側に付勢され、第２ケース２０の下面に設けられた突出片２０７がクリックカム５０４ａに弾接した状態（第１の状態）となっている。第１の状態において、保持レバー９０１は、図９に示すように、その先端部が外軸部材７０の凹凸部７０８の中央の凹部に係合した状態となっている。このように回転型電気部品１００が第１の状態とされた場合において、内軸部材４０で回転操作を受け付けると、突出片２０７がクリックカム５０４ａを係脱し、相対的に小さい間隔のクリック感触が生起される。
【００５４】
実施の形態１に係る回転型電気部品１００においては、第１の状態の場合（すなわち、凹凸部の数の多いクリックカム５０４ａの谷部に突出片２０７が係合している場合）に、凹凸部の数の少ないクリックカム５０４ｂの山部の頂部を係合突部６０２ａの頂部と対向しない状態で離間させている。これにより、外軸部材７０が回転操作され、弾接するクリックカム５０４ａと突出片２０７との組が切り替えられても、離間状態にあるクリックカム５０４ｂと係合突部６０２ａの頂部同士は対向していないので、頂部同士が当接した状態（以下、適宜「山止まり状態」という）で止まってしまうことを回避することができ、確実にクリック感触を切り替えることが可能となる。
【００５５】
また、実施の形態１に係る回転型電気部品１００においては、凹凸部の多いクリックカム５０４ａの凹凸部の数を、凹凸部の数の少ないクリックカム５０４ｂの凹凸部の数の奇数倍（３倍）としている。これにより、全周にわたってピッチの大きなクリックカム５０４ｂと係合突部６０２ａの頂部同士を対向しないようにすることができるので、いずれの回転位置においても頂部同士が当接する山止まり状態になる事態を回避することが可能となる。特に、凹凸部の多いクリックカム５０４ａの凹凸部の数を、凹凸部の数の少ないクリックカム５０４ｂの凹凸部の数の３倍とすることにより、より確実に山止まり状態が発生する事態を回避することができる。
【００５６】
なお、実施の形態１に係る回転型電気部品１００においては、山止まり状態の確実な防止を目的として、クリック部材５０におけるクリックカム５０４ａの凹凸部を、クリックカム５０４ｂの凹凸部の３倍に設計した場合について説明しているが、クリックカム５０４ａ、５０４ｂの数量についてはこれに限定されるものではない。例えば、クリックカム５０４ａの凹凸部を、クリックカム５０４ｂの凹凸部の５倍に設計するようにしても良い。このように変形した場合にも、効果的に山止まり状態の発生を防止することが可能である。
【００５７】
一方、図９に示す第１の状態から外軸部材７０が同図における時計回り方向に回転操作され、基部７０１の下面に設けられた凸部７０６がカム部材６０の山部６０４に対応する位置に当接して配置された場合、図１２に示すように、カム部材６０はコイルばね８０１の付勢力に抗して押し下げられた状態となる。この場合、クリック部材５０は、カム部材６０の突出片６０２により、コイルばね８０２の付勢力に抗して押し下げられ、突出片６０２の係合突部６０２ａがクリックカム５０４ｂに弾接した状態（第２の状態）となっている。第２の状態において、保持レバー９０１は、図１３に示すように、その先端部が外軸部材７０の凹凸部７０８の同図に示す右方側の凹部に係合した状態となっている。このように回転型電気部品１００が第２の状態とされた場合において、内軸部材４０で回転操作を受け付けると、係合突部６０２ａがクリックカム５０４ｂを係脱し、相対的に大きい間隔のクリック感触が生起される。なお、図９に示す状態から外軸部材７０を反時計回り方向に回転操作すると、（図示していないが、）保持レバー９０１は、その先端部が外軸部材７０の凹凸部７０８の図９における左方側の凹部に係合した状態となる。しかしながら、この状態においては、凸部７０６は、カム部材６０の谷部６０５上に位置したままであることから、第２の状態とはならず、突出片２０７がクリックカム５０４ａに弾接した第１の状態を維持している。ここで、カム部材６０のカム形状を変更して、第２の状態とすることも可能である。
【００５８】
図１１及び図１２に示すように、実施の形態１に係る回転型電気部品１００においては、突出片２０７を固定しておく一方、外軸部材７０の回転操作に応じてカム部材６０を下方移動させている。その上で、カム部材６０に設けられた係合突部６０２ａが係脱するクリックカム５０４ｂの凹凸部の数を、突出片２０７が係脱するクリックカム５０４ａよりも少なくしている。これにより、固定的に配設スペースを要する突出片２０７の形状を係合突部６０２ａよりも小さくすることができるので、本回転型電気部品１００の高さ方向の寸法を小型化することが可能となる。
【００５９】
このように実施の形態１に係る回転型電気部品１００においては、複数のクリックカム５０４ａ、５０４ｂに対応して係脱する突出片２０７、係合突部６０２ａをそれぞれ設け、外軸部材７０の回転位置に応じて係脱するクリックカム５０４ａ、５０４ｂと、突出片２０７、係合突部６０２ａとの組を選択可能としたことから、内軸部材４０の回転操作時のクリック感触をそれぞれ独立して生起することができるので、良好な複数のクリック感触を得ることが可能となる。また、クリックカム５０４ａ、５０４ｂに係脱する突出片２０７、係合突部６０２ａを個別に設けていることから、これらを異なる形状とすることができ、多くのクリック感触のバラエティに容易に対応することが可能となる。
【００６０】
特に、第１、第２の状態においては、コイルばね８０２の弾性変形量に応じてクリック部材５０の位置を変化させている。すなわち、第２の状態におけるクリック部材５０の位置は、第１の状態におけるクリック部材５０の位置よりも低い位置に配置されている。このため、クリック部材５０に加わる荷重は、第１の状態よりも第２の状態の場合の方が大きくなっている。このように実施の形態１に係る回転型電気部品１００においては、外軸部材７０の回転操作に伴うクリック部材５０の位置に応じて共通するコイルばね８０２の弾性変形量を異ならせていることから、第１、第２の状態におけるクリックカム５０４ａと突出片２０７、クリックカム５０４ｂと係合突部６０２ａとの間の荷重を異ならせることができるので、さらに多くのクリック感触のバラエティに対応することが可能となる。
【００６１】
また、実施の形態１に係る回転型電気部品１００においては、突出片２０７を、第２ケース２０の底面部２０２の下面に設け、クリック部材５０の位置に応じてクリックカム５０４ａと、突出片２０７とを弾接させていることから、突出片２０７を移動させる必要がなくなるので、回転型電気部品１００における構成を簡素化することが可能となる。
【００６２】
さらに、実施の形態１に係る回転型電気部品１００においては、カム部材６０におけるクリック部材５０側の一部に係合突部６０２ａを設ける一方、外軸部材７０にカム部材の凹凸部と摺動する凸部７０６を設け、外軸部材７０の回転操作に伴って凸部７０６がカム部材６０上の凹凸部を摺動することによりカム部材６０を回転軸線方向へ移動させている。これにより、外軸部材７０の回転操作に伴って、係合突部６０２ａを設けたカム部材６０を回転軸線方向に移動させて第２の状態とすることができるので、簡単な構成で円滑に第１の状態と第２の状態とを切り替えること、すなわち、クリック感触を切り替えることが可能となる。
【００６３】
さらに、実施の形態１に係る回転型電気部品１００においては、クリック部材５０、カム部材６０及び外軸部材７０を、第１ケース１０の軸受け部１０２に保持された内軸部材４０の筒状部４０１で挿通可能に構成したことから、本回転型電気部品１００を中空状に構成できるので、内部に光源や他のスイッチ等の部品を配置することが可能となる。また、クリックカム５０４ａ、５０４ｂと、これらに対応する突出片２０７、係合突部６０２ａとの係脱を行うためのコイルばね８０２を一体的に回転する内軸部材４０とクリック部材５０との間に配設していることから、コイルばね８０２にねじるような力が作用するのを防止できるので、クリック部材５０の回転軸線方向への付勢を良好に行うことが可能となる。
【００６４】
さらに、実施の形態１に係る回転型電気部品１００においては、第２ケース２０の底面部２０２を挟んで外軸部材７０とクリック部材５０とを配設していることから、本回転型電気部品を組み立てる際の作業効率を改善することが可能となる。しかも、第２ケース２０の底面部２０２に設けたコイルばね８０１によりカム部材６０を上方側へ付勢する一方、底面部２０２に突出片６０２（係合突部６０２ａ）を上下動可能に挿通させるスリット２０６を設けていることから、突出片６０２（係合突部６０２ａ）を円滑に上下動させることができるので、第１の状態と第２の状態とを確実に切り替えることが可能となる。
【００６５】
さらに、実施の形態１に係る回転型電気部品１００においては、係合突部６０２ａを周方向に間隔を空けて複数設けていることから、クリック部材５０に対して傾き難くできるので、安定したクリック感触を生起することが可能となる。また、複数の係合突部６０２ａを同一部材であるカム部材６０に設けていることから、係合突部６０２ａ間の位置精度を高めることが可能となる。第２ケース２０に設けられる複数の突出片２０７についても同様である。
【００６６】
（実施の形態２）
実施の形態２に係る回転型電気部品においては、クリック感触を生起させる構成要素を含む第２ケース２０及びクリック部材５０の構成が異なる点において、実施の形態１に係る回転型電気部品１００と相違する。以下、実施の形態２に係る回転型電気部品の構成について、実施の形態１に係る回転型電気部品１００との相違点を中心に説明する。
【００６７】
図１４は、本発明の実施の形態２に係る回転型電気部品が有する第２ケース及びクリック部材の構成を示す斜視図である。図１４（ａ）においては、第２ケース１２０側からの斜視図を示しており、同図（ｂ）においては、クリック部材１５０側からの斜視図を示している。なお、以下において、実施の形態１に係る回転型電気部品１００が有する第２ケース２０及びクリック部材５０と実質的に共通する構成部品については、同一の符号を付与してその説明を省略する。
【００６８】
図１４（ａ）に示すように、クリック部材１５０は、クリックカム５０４ａの代わりに突出片５０５が設けられている点で実施の形態１に係るクリック部材５０と相違する。図１４（ｂ）に示すように、第２ケース１２０は、突出片２０７の代わりにクリックカム２１０が設けられている点で実施の形態１に係る第２ケース２０と相違する。その他の構成部品における態様は、実施の形態１に係る回転型電気部品１００と同一であり、内軸部材４０及び外軸部材７０に対する回転操作に伴う動作についても実施の形態１に係る回転型電気部品１００と共通する。
【００６９】
図１５は、実施の形態２に係る回転型電気部品が有する第２ケース１２０の下面図である。図１５に示すように、第２ケース１２０においては、底面部２０２の下面において、スリット２０６の外側部分にクリック部材１５０側に突出する第１係合部としてのクリックカム２１０が設けられている。クリックカム２１０は、クリック部材１５０の突出片５０５に対応する位置で環状に配列されている。内軸部材４０の回転に伴ってクリック部材１５０が回転した場合に、クリック部材１５０の突出片５０５と係脱してクリック感触を生起可能に構成されている。なお、クリックカム２１０における間隔は、例えば、実施の形態１に係るクリック部材５０のクリックカム５０４ａと同一に設定される。
【００７０】
図１６は、実施の形態２に係る回転型電気部品が有するクリック部材１５０の斜視図である。図１６に示すように、クリック部材１５０においては、基部５０１の上面において、クリックカム５０４ｂの外側部分に複数（本実施の形態では３つ）の第１被係合突部としての突出片５０５が設けられている。突出片５０５は、側面視にて略三角形状を有しており、その頂部がクリックカム５０４ｂの山部の頂部に対応する位置に配置されている。
【００７１】
実施の形態２に係る回転型電気部品においては、外軸部材７０に対する回転操作により、第２ケース１２０の下面に設けられたクリックカム２１０とクリック部材１５０の突出片５０５とが弾接する第１の状態と、カム部材６０の突出片６０２に設けられた係合突部６０２ａとクリック部材１５０のクリックカム５０４ｂとが弾接する第２の状態とが切り替えられる。そして、いずれかの状態（第１、第２の状態）において、内軸部材４０に対する回転操作によりクリック部材１５０が回転することで、突出片５０５又は係合突部６０２ａが係脱し、異なるクリック感触を生起することが可能となっている。
【００７２】
実施の形態２に係る回転型電気部品においては、複数のクリックカム２１０、５０４ｂに対応して係脱する突出片５０５、係合突部６０２ａをそれぞれ設け、外軸部材７０の回転位置に応じて係脱するクリックカム２１０、５０４ｂと、突出片５０５、係合突部６０２ａとの組を選択可能としたことから、内軸部材４０の回転操作時のクリック感触をそれぞれ独立して生起することができるので、良好な複数のクリック感触を得ることが可能となる。また、クリックカム２１０、５０４ｂに係脱する突出片５０５、係合突部６０２ａを個別に設けていることから、これらを異なる形状とすることができ、多くのクリック感触のバラエティに容易に対応することが可能となる。
【００７３】
また、実施の形態２に係る回転型電気部品においては、実施の形態１に係る回転型電気部品１００と同様に、外軸部材７０の回転操作に伴うクリック部材１５０の位置に応じて共通するコイルばね８０２の弾性変形量を異ならせていることから、第１、第２の状態におけるクリックカム２１０と突出片５０５、クリックカム５０４ｂと係合突部６０２ａとの間の荷重を異ならせることができるので、さらに多くのクリック感触のバラエティに対応することが可能となる。
【００７４】
なお、実施の形態２に係る回転型電気部品においては、クリック感触を生起させる構成要素として、クリック部材５０にクリックカム５０４ａ、５０４ｂを設ける一方、これらに係脱する構成として、第２ケース２０の下面に突出片２０７を設け、カム部材６０の突出片６０２の係合突部６０２ａを設けた実施の形態１と異なり、第２ケース１２０の下面にクリックカム２１０を設け、クリック部材１５０にクリックカム５０４ｂを設ける一方、これらに係脱する構成として、クリック部材１５０に突出片５０５を設け、カム部材６０の突出片６０２の係合突部６０２ａを設ける場合について説明している。本発明に係る回転型電気部品においては、実施の形態２に係る回転型電気部品以外のクリック感触を生起させる構成要素の様々なバリエーションが含まれる。例えば、第２ケース２０の下面に２つのクリックカムを設け、これらに弾接する突出片をクリック部材５０に設けるようにしても良い。また、第２ケース２０の下面に突出片２０７を設けるのではなく、内軸部材４０の回転軸方向に移動可能なカム部材を複数設け、これらの一部（係合突部）を複数のクリックカムを設けたクリック部材５０に弾接させるようにしても良い。
【００７５】
（実施の形態３）
実施の形態３に係る回転型電気部品においては、クリック感触を生起させる構成要素を含むクリック部材５０及びカム部材６０の構成が異なる点において、実施の形態１に係る回転型電気部品１００と相違する。以下、実施の形態３に係る回転型電気部品の構成について、実施の形態１に係る回転型電気部品１００との相違点を中心に説明する。
【００７６】
図１７は、本発明の実施の形態３に係る回転型電気部品を前方側から示す分解斜視図である。図１８は、実施の形態３に係る回転型電気部品を後方側から示す分解斜視図である。なお、以下においては、説明の便宜上、図１及び図２と同様に、図１７に示す左下方側を「回転型電気部品の前方側」と呼び、同図に示す右上方側を「回転型電気部品の後方側」と呼ぶものとする。
【００７７】
図１７及び図１８に示すように、実施の形態３に係る回転型電気部品２００においては、クリック部材２５０の基部５０１に同一数の凹凸部を有するクリックカムが設けられている点、並びに、カム部材２６０の突出片６０２にクリック部材２５０のクリックカムと係合する第２被係合突部としての当接片６０２ｂが設けられている点で、実施の形態１に係る回転型電気部品１００と相違する。その他の構成部品における態様は、実施の形態１に係る回転型電気部品１００と同一であり、内軸部材４０及び外軸部材７０に対する回転操作に伴う動作についても実施の形態１に係る回転型電気部品１００と共通する。
【００７８】
図１９は、実施の形態３に係る回転型電気部品２００が有するカム部材２６０の斜視図である。図１９に示すように、実施の形態３に係るカム部材２６０においては、突出片６０２の先端部（下端部）に当接片６０２ｂが設けられている点で実施の形態１に係るカム部材６０と相違する。当接片６０２ｂは、側面視にて略半円形状を有し、内軸部材４０の回転に伴って、後述するクリック部材２５０のクリックカム５０４ｄと係脱可能に構成されている。
【００７９】
図２０は、実施の形態３に係る回転型電気部品２００が有するクリック部材２５０の斜視図である。図２０に示すように、実施の形態３に係るクリック部材２５０においては、基部５０１の上面にクリックカム５０４ａ、５０４ｂの代わりにクリックカム５０４ｃ、５０４ｄが設けられている点で実施の形態１に係るクリック部材５０と相違する。クリックカム５０４ｃは、基部５０１の上面における外周側に設けられ、クリックカム５０４ｄは、クリックカム５０４ｃの内側に設けられている。クリックカム５０４ｃ、５０４ｄの上面の凹凸部は、同一数に設けられている。また、クリックカム５０４ｃの凹凸部を構成する山部の頂部は、クリックカム５０４ｄの凹凸部を構成する山部の頂部に対応する位置に配置されている。クリックカム５０４ｃの凹凸部を構成する山部と谷部との間の傾斜角度は、クリックカム５０４ｄの山部と谷部との傾斜角度よりも緩やかに設計されている。
【００８０】
実施の形態３に係る回転型電気部品２００においては、外軸部材７０に対する回転操作により、第２ケース２０の下面に設けられた突出片２０７とクリック部材２５０のクリックカム５０４ｃとが弾接する第１の状態と、カム部材２６０の突出片６０２に設けられた当接片６０２ｂとクリック部材２５０のクリックカム５０４ｄとが弾接する第２の状態とが切り替えられる。そして、いずれかの状態（第１、第２の状態）において、内軸部材４０に対する回転操作によりクリック部材２５０が回転することで、突出片２０７又は当接片６０２ｂが係脱し、異なるクリック感触を生起することが可能となっている。
【００８１】
ここで、実施の形態３に係る回転型電気部品２００が第１、第２の状態とされた場合の構成部品の状態について説明する。図２１及び図２２は、それぞれ実施の形態３に係る回転型電気部品２００が第１及び第２の状態とされた場合の側面図である。図２１においては、説明の便宜上、第１ケース１０を省略し、図２２においては、更に第２ケース２０も省略している。
【００８２】
実施の形態３に係る回転型電気部品２００において、外軸部材７０の凸部７０６がカム部材２６０の谷部６０５に対応する位置に配置される場合（すなわち、凸部７０６がカム部材２６０の山部６０４と非接触状態にある場合）、カム部材２６０がコイルばね８０１の付勢力により上方側に退避された状態となっている。この場合、クリック部材２５０は、カム部材２６０の突出片６０２と当接することなく、図２１に示すように、コイルばね８０２により上方側に付勢され、第２ケース２０の下面に設けられた突出片２０７がクリックカム５０４ｃに弾接した状態（第１の状態）となっている。このように回転型電気部品２００が第１の状態とされた場合において、内軸部材４０で回転操作を受け付けると、突出片２０７がクリックカム５０４ｃを係脱し、相対的に荷重の小さいクリック感触が生起される。
【００８３】
一方、第１の状態から外軸部材７０が回転操作され、基部７０１の下面に設けられた凸部７０６がカム部材２６０の山部６０４に対応する位置に当接して配置された場合、図２２に示すように、カム部材２６０は、コイルばね８０１の付勢力に抗して押し下げられる。この場合、クリック部材２５０は、カム部材２６０の突出片６０２により、コイルばね８０２の付勢力に抗して押し下げられ、突出片６０２の当接片６０２ｂがクリックカム５０４ｄに弾接した状態（第２の状態）となっている。このように回転型電気部品２００が第２の状態とされた場合において、内軸部材４０で回転操作を受け付けると、当接片６０２ｂがクリックカム５０４ｄを係脱し、相対的に荷重が大きいクリック感触が生起される。
【００８４】
このように、実施の形態３に係る回転型電気部品２００においては、複数のクリックカム５０４ｃ、５０４ｄに対応して係脱する突出片２０７、当接片６０２ｂをそれぞれ設け、外軸部材７０の回転位置に応じて係脱するクリックカム５０４ｃ、５０４ｄと、突出片２０７、当接片６０２ｂとの組を選択可能としたことから、内軸部材４０の回転操作時のクリック感触をそれぞれ独立して生起することができるので、良好な複数のクリック感触を得ることが可能となる。また、クリックカム５０４ｃ、５０４ｄに係脱する突出片２０７、当接片６０２ｂを個別に設けていることから、これらを異なる形状とすることができ、多くのクリック感触のバラエティに容易に対応することが可能となる。
【００８５】
また、実施の形態３に係る回転型電気部品２００においては、クリック部材２５０に設けられるクリックカム５０４ｃ、５０４ｄの凹凸部における傾斜角度を変化させることにより、生起させるクリック感触に異なる荷重を付与している。これにより、同一数のクリックカム５０４ｃ、５０４ｄをクリック部材２５０に設ける場合においても、異なるクリック感触を生起させることができるものとなっている。
【００８６】
なお、実施の形態３に係る回転型電気部品２００においては、クリックカム５０４ｃ、５０４ｄの凹凸部における傾斜角度を変化させることで、異なる荷重のクリック感触を生起させているが、異なる荷重のクリック感触を生起させるクリックカム５０４ｃ、５０４ｄの構成については、これに限定されるものではなく適宜変更が可能である。例えば、傾斜角度ではなく、クリックカム５０４ｃ、５０４ｄを異なる形状とすることで異なる荷重のクリック感触を生起させることが可能である。
【００８７】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００８８】
例えば、上記実施の形態においては、外軸部材７０の２つの回転位置に応じて内軸部材４０の回転に伴うクリック感触を変化させる場合について説明しているが、クリック感触を変化させる外軸部材７０の回転位置については、これに限定されるものではなく適宜変更が可能である。すなわち、外軸部材７０における３つ以上の回転位置に応じて内軸部材４０の回転に伴うクリック感触を変化させるようにしても良い。
【００８９】
また、上記実施の形態においては、クリック感触を生起させる構成要素として、クリック部材５０、１５０の上面にクリックカム５０４又は突出片５０５等を設け、その上方側に配置された第２ケース２０に設けられた突出片２０７又はカム部材６０の係合突部６０２ａ等と弾接させる場合について説明しているが、これに限定されるものではなく適宜変更が可能である。例えば、クリック部材５０の両面にクリックカム５０４を設け、上方側及び下方側からこれらに係合突部を弾接させるようにしても良い。
【００９０】
さらに、上記実施の形態においては、摺動子８０３等と切り換えパターン１０５Ａ、１０５Ｂ及びコモンパターン１０６等とからなる接触式の回転検出手段により内軸部材４０及び外軸部材７０の回転を検出する場合について説明しているが、回転検出手段の構成については、これに限定されるものではなく適宜変更が可能である。例えば、磁石と磁気センサとからなる非接触式の回転検出手段を採用しても良い。
【００９１】
なお、上記実施の形態においては、カム部材６０、２６０にカム部として山部６０４と谷部６０５とが交互に設けられ、この山部６０４と谷部６０５上を外軸部材７０の凸部７０６が常時当接して摺動するもので説明しているが、これに限定されるものではない。すなわち、摺動部としての凸部７０６が谷部６０５上に位置する場合には、凸部７０６と谷部６０５とが当接しておらず、非接触状態であっても構わない。このように非接触状態とするには、例えば、カム部材６０（２６０）のばね収容部６０３等の一部を外軸部材７０の基部７０１や取付部材３０等に当接させて、上昇するカム部材６０（２６０）の移動を制限すればよい。この場合には、外軸部材７０の回転動作に応じて、凸部７０６は、山部６０４とこの山部６０４寄りのテーパー面（斜面）上を摺動するものとなる。また、カム部材６０（２６０）を上方側へ付勢する付勢部材として、コイルばね８０１に代えて、板ばねやゴム（ラバー）部材を用いることも可能である。
【符号の説明】
【００９２】
１００、２００  回転型電気部品
１０  第１ケース
１０１  貫通孔
１０２  軸受け部
１０３  収納部
１０４  側壁部
２０  第２ケース
２０１  開口部
２０２  底面部
２０３  側壁部
２０４  収納部
２０５  凹部
２０６  スリット
２０７  突出片
３０  取付部材
３０１  上板部
３０２  脚部
３０３  位置決め片
３０４  開口部
４０  内軸部材
４０１  筒状部
４０２  鍔状部
４０２ａ  凹部
４０３  貫通孔
５０  クリック部材
５０１  基部
５０２  挿通孔
５０３  壁面部
５０３ａ  切り欠き部
５０４、５０４ａ〜５０４ｄ  クリックカム
５０５  突出片
６０  カム部材
６０１  挿通孔
６０２  突出片
６０２ａ  係合突部
６０２ｂ  当接片
６０４  山部
６０５  谷部
７０  外軸部材
７０１  基部
７０２  軸部
７０３  壁面部
７０４  当接片
７０５  補強部
７０６  凸部
７０７  挿通孔
７０８  凹凸部
７０９  フック部
８０１、８０２  コイルばね
８０３、８０４  摺動子
９０  保持手段
９０１  保持レバー
９０２  トーションばね
【図１】
0005675431.tif 000002
【図２】
0005675431.tif 000003
【図３】
0005675431.tif 000004
【図４】
0005675431.tif 000005
【図５】
0005675431.tif 000006
【図６】
0005675431.tif 000007
【図７】
0005675431.tif 000008
【図８】
0005675431.tif 000009
【図９】
0005675431.tif 000010
【図１０】
0005675431.tif 000011
【図１１】
0005675431.tif 000012
【図１２】
0005675431.tif 000013
【図１３】
0005675431.tif 000014
【図１４】
0005675431.tif 000015
【図１５】
0005675431.tif 000016
【図１６】
0005675431.tif 000017
【図１７】
0005675431.tif 000018
【図１８】
0005675431.tif 000019
【図１９】
0005675431.tif 000020
【図２０】
0005675431.tif 000021
【図２１】
0005675431.tif 000022
【図２２】
0005675431.tif 000023